(57)【要約】【課題】簡易な構成で一つの電子商取引サービスを複数種類の端末から共通に利用可能とする。【解決手段】端末１０３は電子カタログ識別子と端末種類情報を送信し（ステップＳ５、７）、システムは端末の種類に依存しない電子カタログ定義情報と、それを端末の種類に応じて表示可能な電子カタログ構成情報に変換する端末種類毎の変換規則情報とを登録し（ステップＳ１、３）、端末１０３から通知される端末種類情報に対応して検索（ステップＳ８）した変換規則情報に基づいて、端末１０３から送信される電子カタログ識別子に対応して検索（ステップＳ６）された電子カタログ定義情報を変換し端末１０３により表示可能な電子カタログ構成情報を生成して（ステップＳ９）、端末１０３へ送信し（ステップＳ１０）、端末１０３は電子カタログ構成情報に従って電子カタログを表示する（ステップＳ１１）。【選択図】　　　　図１
2004021858.tif 000002
【特許請求の範囲】
【請求項１】
通信ネットワークに接続されておりユーザへ電子カタログを提供するための電子カタログ提供システムと、前記通信ネットワークを介して前記電子カタログ提供システムにアクセス可能な、ユーザによって使用される端末とを有するオンライン電子カタログ構成システムであって、
前記電子カタログ提供システムは、
端末の種類に依存しない電子カタログ定義情報と、該電子カタログ定義情報を端末の種類に応じて表示可能な電子カタログ構成情報に変換する端末種類毎の変換規則情報とを、登録するための情報登録手段と、
該情報登録手段によって登録された変換規則情報の内から、前記端末から通知される端末種類情報に対応して変換規則情報を検索し、前記情報登録手段によって登録された電子カタログ定義情報の内から、前記端末から送信される電子カタログ識別子に対応して電子カタログ定義情報を検索する電子カタログ定義管理手段と、
該電子カタログ定義管理手段によって検索された変換規則情報に基づいて、前記電子カタログ定義管理手段によって検索された電子カタログ定義情報を変換し、前記端末により表示可能な電子カタログ構成情報を生成して、当該生成した電子カタログ構成情報を前記端末へ送信する電子カタログ生成手段とを備え、
前記端末は、
前記電子カタログ提供システムに対して、前記ユーザにより指示された電子カタログ識別子を送信し、端末種類情報を通知し、前記電子カタログ提供システムから送信された電子カタログ構成情報に従って電子カタログを表示する
ことを特徴とするオンライン電子カタログ構成システム。
【請求項２】
請求項１に記載のオンライン電子カタログ構成システムにおいて、
前記情報登録手段、前記電子カタログ定義管理手段及び前記電子カタログ生成手段の各々が、前記通信ネットワークに接続されている
ことを特徴とするオンライン電子カタログ構成システム。
【請求項３】
請求項１又は２に記載のオンライン電子カタログ構成システムにおいて、
前記電子カタログ定義管理手段は、
前記情報登録手段より登録された電子カタログ定義情報を保持するための電子カタログ定義保持手段と、
前記情報登録手段により登録された変換規則情報を保持するための変換規則保持手段と、
前記電子カタログ生成手段からの指示により、該指示に対応して前記電子カタログ定義保持手段によって保持された電子カタログ定義情報を検索して前記電子カタログ生成手段に返信する電子カタログ定義検索手段と、
前記電子カタログ生成手段からの指示により、該指示に対応して前記変換規則保持手段によって保持された変換規則情報を検索して前記電子カタログ生成手段に返信する変換規則検索手段とを備え、
前記電子カタログ生成手段は、
前記端末から通知される端末種類情報をキーとして、前記変換規則検索手段に検索の指示を行い、前記端末種類情報に対応する変換規則情報を前記変換規則検索手段から取得する変換規則取得手段と、
前記端末から送信された電子カタログ識別子をキーとして、前記電子カタログ定義検索手段に検索の指示を行い、前記電子カタログ識別子に対応する電子カタログ定義情報を前記電子カタログ定義検索手段から取得する電子カタログ定義取得手段と、
前記変換規則取得手段により取得した変換規則情報に基づき前記電子カタログ定義取得手段により取得した電子カタログ定義情報を変換して、前記端末により表示可能な電子カタログ構成情報を生成する電子カタログ構成情報生成手段と、該電子カタログ構成情報生成手段により生成した電子カタログ構成情報を前記端末に送信する電子カタログ構成情報送信手段とを備えた
ことを特徴とするオンライン電子カタログ構成システム。
【請求項４】
請求項３に記載のオンライン電子カタログ構成システムにおいて、
前記端末は、
前記ユーザの表示すべき電子カタログの要求操作を受け付け、当該受け付けた要求操作より指示された電子カタログ識別子を前記電子カタログ定義取得手段に送信する電子カタログ要求手段と、
該電子カタログ要求手段による電子カタログ識別子の送信に同期して、端末種類情報を前記変換規則取得手段に通知する端末種類通知手段と、
前記電子カタログ構成情報送信手段から送信された電子カタログ構成情報を受信し、当該受信した電子カタログ構成情報に従って電子カタログを画面表示する電子カタログ表示手段と
を備えたことを特徴とするオンライン電子カタログ構成システム。
【請求項５】
請求項３に記載のオンライン電子カタログ構成システムにおいて、
前記情報登録手段は、
端末の種類に依存しない電子カタログ定義情報の登録の指示を受け付け、前記電子カタログ定義情報を前記電子カタログ定義保持手段に登録するために送信する電子カタログ定義登録手段と、
変換規則情報の登録の指示を受け付け、該電子カタログ定義登録手段により送信された電子カタログ定義情報を、端末の種類に応じて表示可能な電子カタログ構成情報に変換する端末種類毎の変換規則情報を、前記変換規則保持手段に登録するために送信する変換規則登録手段と
を備えたことを特徴とするオンライン電子カタログ構成システム。
【請求項６】
請求項４に記載の端末が有する前記電子カタログ要求手段、前記端末種類通知手段及び前記電子カタログ表示手段を備えたことを特徴とするオンライン電子カタログ構成システムの端末。
【請求項７】
請求項５に記載の情報登録手段が有する前記電子カタログ定義登録手段及び前記変換規則登録手段を備えたことを特徴とするオンライン電子カタログ構成システムの情報登録装置。
【請求項８】
請求項３に記載の電子カタログ定義管理手段が有する前記電子カタログ定義保持手段、前記変換規則保持手段、前記電子カタログ定義検索手段及び前記変換規則検索手段を備えたことを特徴とするオンライン電子カタログ構成システムの電子カタログ定義管理装置。
【請求項９】
請求項３に記載の電子カタログ生成手段が有する前記変換規則取得手段、前記電子カタログ定義取得手段、前記電子カタログ構成情報生成手段及び前記電子カタログ構成情報送信手段を備えたことを特徴とするオンライン電子カタログ構成システムの電子カタログ生成装置。
【請求項１０】
通信ネットワークに接続されておりユーザへ電子カタログを提供するための電子カタログ提供システムへ、ユーザによって使用される端末から前記通信ネットワークを介してアクセスすることにより、前記端末へ電子カタログを提供するオンライン電子カタログ構成方法であって、
前記端末によって、前記電子カタログ提供システムへ、前記ユーザにより指示された電子カタログ識別子を送信する電子カタログ要求ステップと、
前記端末によって、前記電子カタログ提供システムへ、端末種類情報を通知する端末種類通知ステップと、
前記電子カタログ提供システムによって、端末の種類に依存しない電子カタログ定義情報を登録する電子カタログ定義登録ステップと、
前記電子カタログ提供システムによって、前記電子カタログ定義情報を端末の種類に応じて表示可能な電子カタログ構成情報に変換する端末種類毎の変換規則情報を登録する変換規則登録ステップと、
前記電子カタログ提供システムによって、前記変換規則登録ステップにおいて登録された変換規則情報の内から、前記端末種類通知ステップにおいて通知される端末種類情報に対応して変換規則情報を検索する変換規則検索ステップと、
前記電子カタログ提供システムによって、前記電子カタログ定義登録ステップにおいて登録された電子カタログ定義情報の内から、前記電子カタログ要求ステップにおいて送信される電子カタログ識別子に対応して電子カタログ定義情報を検索する電子カタログ定義検索ステップと、
前記電子カタログ提供システムによって、前記変換規則検索ステップにおいて検索された変換規則情報に基づいて、前記電子カタログ定義検索ステップにおいて検索された電子カタログ定義情報を変換し、前記端末により表示可能な電子カタログ構成情報を生成する生成ステップと、
前記電子カタログ提供システムによって、前記生成ステップにおいて生成した電子カタログ構成情報を前記端末へ送信する送信ステップと、
前記端末によって、前記送信ステップにおいて前記電子カタログ提供システムから送信された電子カタログ構成情報に従って電子カタログを表示する表示ステップと
を備えたことを特徴とするオンライン電子カタログ構成方法。
【請求項１１】
請求項１０に記載の端末によって実行される各ステップをコンピュータに実行させるためのプログラムを記録したことを特徴とするコンピュータ読み取り可能な記録媒体。
【請求項１２】
請求項１０に記載の電子カタログ提供システムによって実行される各ステップをコンピュータに実行させるためのプログラムを記録したことを特徴とするコンピュータ読み取り可能な記録媒体。
【請求項１３】
請求項１０に記載の端末によって実行される各ステップをコンピュータに実行させることを特徴とするプログラム。
【請求項１４】
請求項１０に記載の電子カタログ提供システムによって実行される各ステップをコンピュータに実行させることを特徴とするプログラム。
【発明の詳細な説明】
【０００１】
【発明の属する技術分野】
本発明は、オンライン電子カタログ構成システム及び方法に関し、より詳しくは、異なる複数種類のサービス端末に対して共通の電子カタログ定義によって電子商取引サービスにおけるオンライン電子カタログを構成するオンライン電子カタログ構成システム、その端末、その情報登録装置、その電子カタログ定義管理装置、その電子カタログ生成装置、オンライン電子カタログ構成方法、記録媒体及びプログラムに関する。
【０００２】
【従来の技術】
従来の電子商取引サービスにおけるオンライン電子カタログ構成技術においては、商品訴求を目的とするカタログ画面構成がサービス端末の画面解像度等スペックに依存するため、個々のサービス端末種類毎にサービス定義を記述する必要がある。その一例として、ＷＷＷ（Ｗｏｒｌｄ　Ｗｉｄｅ　Ｗｅｂ）をグラフィカルユーザインタフェースとして用いる電子商取引サービスにおいては、通例、ＰＣ（ｐｅｒｓｏｎａｌｃｏｍｐｕｔｅｒ）上の各種ＷＷＷブラウザ用サービス定義、及びネットワーク接続可能な携帯電話用サービス定義等をそれぞれＨＴＭＬ（Ｈｙｐｅｒ　Ｔｅｘｔ　Ｍａｒｋｕｐ　Ｌａｎｇｕａｇｅ）等で記述しておき、エンドユーザが当該電子商取引サービス利用時に使用しているサービス端末種類によってアクセスするサービス定義を変更する。
【０００３】
【発明が解決しようとする課題】
しかしながら、上記従来技術においては、個々の端末毎に電子カタログ定義を記述する必要があるため、一つの電子商取引サービスを複数種類の端末から共通に利用可能とするためには、個々の端末種類用の電子カタログ定義を記述しシステム構成が複雑になるという解決すべき課題があった。
【０００４】
本発明は、このような課題に鑑みてなされたもので、その目的とするところは、簡易な構成で一つの電子商取引サービスを複数種類の端末から共通に利用可能とするオンライン電子カタログ構成システム及び方法を提供することにある。
【０００５】
【課題を解決するための手段】
このような目的を達成するために、本発明のオンライン電子カタログ構成システムは、通信ネットワークに接続されておりユーザへ電子カタログを提供するための電子カタログ提供システムと、前記通信ネットワークを介して前記電子カタログ提供システムにアクセス可能な、ユーザによって使用される端末とを有するオンライン電子カタログ構成システムであって、前記電子カタログ提供システムは、端末の種類に依存しない電子カタログ定義情報と、該電子カタログ定義情報を端末の種類に応じて表示可能な電子カタログ構成情報に変換する端末種類毎の変換規則情報とを、登録するための情報登録手段と、該情報登録手段によって登録された変換規則情報の内から、前記端末から通知される端末種類情報に対応して変換規則情報を検索し、前記情報登録手段によって登録された電子カタログ定義情報の内から、前記端末から送信される電子カタログ識別子に対応して電子カタログ定義情報を検索する電子カタログ定義管理手段と、該電子カタログ定義管理手段によって検索された変換規則情報に基づいて、前記電子カタログ定義管理手段によって検索された電子カタログ定義情報を変換し、前記端末により表示可能な電子カタログ構成情報を生成して、当該生成した電子カタログ構成情報を前記端末へ送信する電子カタログ生成手段とを備え、前記端末は、前記電子カタログ提供システムに対して、前記ユーザにより指示された電子カタログ識別子を送信し、端末種類情報を通知し、前記電子カタログ提供システムから送信された電子カタログ構成情報に従って電子カタログを表示することを特徴とする。
【０００６】
ここで、前記情報登録手段、前記電子カタログ定義管理手段及び前記電子カタログ生成手段の各々が、前記通信ネットワークに接続されていることを特徴とすることができる。
【０００７】
また、前記電子カタログ定義管理手段は、前記情報登録手段より登録された電子カタログ定義情報を保持するための電子カタログ定義保持手段と、前記情報登録手段により登録された変換規則情報を保持するための変換規則保持手段と、前記電子カタログ生成手段からの指示により、該指示に対応して前記電子カタログ定義保持手段によって保持された電子カタログ定義情報を検索して前記電子カタログ生成手段に返信する電子カタログ定義検索手段と、前記電子カタログ生成手段からの指示により、該指示に対応して前記変換規則保持手段によって保持された変換規則情報を検索して前記電子カタログ生成手段に返信する変換規則検索手段とを備え、前記電子カタログ生成手段は、前記端末から通知される端末種類情報をキーとして、前記変換規則検索手段に検索の指示を行い、前記端末種類情報に対応する変換規則情報を前記変換規則検索手段から取得する変換規則取得手段と、前記端末から送信された電子カタログ識別子をキーとして、前記電子カタログ定義検索手段に検索の指示を行い、前記電子カタログ識別子に対応する電子カタログ定義情報を前記電子カタログ定義検索手段から取得する電子カタログ定義取得手段と、前記変換規則取得手段により取得した変換規則情報に基づき前記電子カタログ定義取得手段により取得した電子カタログ定義情報を変換して、前記端末により表示可能な電子カタログ構成情報を生成する電子カタログ構成情報生成手段と、該電子カタログ構成情報生成手段により生成した電子カタログ構成情報を前記端末に送信する電子カタログ構成情報送信手段とを備えたことを特徴とすることができる。
【０００８】
また、前記端末は、前記ユーザの表示すべき電子カタログの要求操作を受け付け、当該受け付けた要求操作より指示された電子カタログ識別子を前記電子カタログ定義取得手段に送信する電子カタログ要求手段と、該電子カタログ要求手段による電子カタログ識別子の送信に同期して、端末種類情報を前記変換規則取得手段に通知する端末種類通知手段と、前記電子カタログ構成情報送信手段から送信された電子カタログ構成情報を受信し、当該受信した電子カタログ構成情報に従って電子カタログを画面表示する電子カタログ表示手段とを備えたことを特徴とすることができる。
【０００９】
また、前記情報登録手段は、端末の種類に依存しない電子カタログ定義情報の登録の指示を受け付け、前記電子カタログ定義情報を前記電子カタログ定義保持手段に登録するために送信する電子カタログ定義登録手段と、変換規則情報の登録の指示を受け付け、該電子カタログ定義登録手段により送信された電子カタログ定義情報を、端末の種類に応じて表示可能な電子カタログ構成情報に変換する端末種類毎の変換規則情報を、前記変換規則保持手段に登録するために送信する変換規則登録手段とを備えたことを特徴とすることができる。
【００１０】
また、上記目的を達成するために、本発明のオンライン電子カタログ構成システムの端末は、前記電子カタログ要求手段、前記端末種類通知手段及び前記電子カタログ表示手段を備えたことを特徴とする。
【００１１】
また、上記目的を達成するために、本発明のオンライン電子カタログ構成システムの情報登録装置は、前記情報登録手段が有する前記電子カタログ定義登録手段及び前記変換規則登録手段を備えたことを特徴とする。
【００１２】
また、上記目的を達成するために、本発明のオンライン電子カタログ構成システムの電子カタログ定義管理装置は、前記電子カタログ定義管理手段が有する前記電子カタログ定義保持手段、前記変換規則保持手段、前記電子カタログ定義検索手段及び前記変換規則検索手段を備えたことを特徴とする。
【００１３】
また、上記目的を達成するために、本発明のオンライン電子カタログ構成システムの電子カタログ生成装置は、前記電子カタログ生成手段が有する前記変換規則取得手段、前記電子カタログ定義取得手段、前記電子カタログ構成情報生成手段及び前記電子カタログ構成情報送信手段を備えたことを特徴とする。
【００１４】
また、上記目的を達成するために、本発明のオンライン電子カタログ構成方法は、通信ネットワークに接続されておりユーザへ電子カタログを提供するための電子カタログ提供システムへ、ユーザによって使用される端末から前記通信ネットワークを介してアクセスすることにより、前記端末へ電子カタログを提供するオンライン電子カタログ構成方法であって、前記端末によって、前記電子カタログ提供システムへ、前記ユーザにより指示された電子カタログ識別子を送信する電子カタログ要求ステップと、前記端末によって、前記電子カタログ提供システムへ、端末種類情報を通知する端末種類通知ステップと、前記電子カタログ提供システムによって、端末の種類に依存しない電子カタログ定義情報を登録する電子カタログ定義登録ステップと、前記電子カタログ提供システムによって、前記電子カタログ定義情報を端末の種類に応じて表示可能な電子カタログ構成情報に変換する端末種類毎の変換規則情報を登録する変換規則登録ステップと、前記電子カタログ提供システムによって、前記変換規則登録ステップにおいて登録された変換規則情報の内から、前記端末種類通知ステップにおいて通知される端末種類情報に対応して変換規則情報を検索する変換規則検索ステップと、前記電子カタログ提供システムによって、前記電子カタログ定義登録ステップにおいて登録された電子カタログ定義情報の内から、前記電子カタログ要求ステップにおいて送信される電子カタログ識別子に対応して電子カタログ定義情報を検索する電子カタログ定義検索ステップと、前記電子カタログ提供システムによって、前記変換規則検索ステップにおいて検索された変換規則情報に基づいて、前記電子カタログ定義検索ステップにおいて検索された電子カタログ定義情報を変換し、前記端末により表示可能な電子カタログ構成情報を生成する生成ステップと、前記電子カタログ提供システムによって、前記生成ステップにおいて生成した電子カタログ構成情報を前記端末へ送信する送信ステップと、前記端末によって、前記送信ステップにおいて前記電子カタログ提供システムから送信された電子カタログ構成情報に従って電子カタログを表示する表示ステップとを備えたことを特徴とする。
【００１５】
また、上記目的を達成するために、本発明のコンピュータ読み取り可能な記録媒体は、上述の端末によって実行される各ステップをコンピュータに実行させるためのプログラムを記録したことを特徴とする。
【００１６】
また、上記目的を達成するために、本発明のコンピュータ読み取り可能な記録媒体は、上述の電子カタログ提供システムによって実行される各ステップをコンピュータに実行させるためのプログラムを記録したことを特徴とする。
【００１７】
また、上記目的を達成するために、本発明のプログラムは、上述の端末によって実行される各ステップをコンピュータに実行させることを特徴とする。
【００１８】
また、上記目的を達成するために、本発明のプログラムは、上述の電子カタログ提供システムによって実行される各ステップをコンピュータに実行させることを特徴とするプログラム。
【００１９】
以上の構成により、端末の種類に依存しない共通の電子カタログ定義を各種の端末に表示可能な形式に逐次変換して表示することを可能とする。
【００２０】
【発明の実施の形態】
以下、図面を参照して本発明の実施形態を詳細に説明する。なお、各図面において同様の機能を有する箇所には同一の符号を付し、説明の重複は省略する。
【００２１】
（システム構成）
図１は、本実施形態のオンライン電子カタログ構成システムのシステム構成図である。図１において、オンライン電子カタログ構成システム１００は、電子カタログ定義登録装置１０１、電子カタログ定義管理装置１０２、サービス端末１０３、電子カタログ動的生成装置１０４、通信ネットワーク１０５等を含む。尚、オンライン電子カタログ構成システム１００は複数種類のサービス端末を有することが可能だが、その内の１つのサービス端末１０３を図示している。
【００２２】
電子カタログ定義登録装置１０１は、サービス端末種類に依存しない電子カタログ定義情報と、その情報を各サービス端末種類において表示可能な電子カタログ構成情報に変換するサービス端末種類毎の変換規則とを、電子カタログ定義管理装置１０２に登録する機能を有するコンピュータシステムである。
【００２３】
電子カタログ定義登録装置１０１は、ＣＰＵ（ｃｅｎｔｒａｌ　ｐｒｏｃｅｓｓｉｎｇ　ｕｎｉｔ）１０１ａ、ＲＡＭ（ｒａｎｄｏｍ　ａｃｃｅｓｓ　ｍｅｍｏｒｙ）１０１ｂ、ＨＤＤ（ｈａｒｄ　ｄｉｓｋ　ｄｒｉｖｅ）１０１ｃ、モニタ１０１ｄ、コンソール１０１ｅ等を有し通信ネットワーク１０５に接続されている。
【００２４】
ＣＰＵ１０１ａは、電子カタログ定義登録装置１０１全体の制御を行う。ＨＤＤ１０１ｃは、電子カタログ定義登録装置１０１の機能を実現するための電子カタログ定義登録プログラム１０１ｆを格納しており、各種データを格納するために使用される。ＲＡＭ１０１ｂは、ＨＤＤ１０１ｃからロードされる電子カタログ定義登録プログラム１０１ｆ、及び種々のデータを処理するために使用される。オペレータはモニタ１０１ｄとコンソール１０１ｅを使用して、電子カタログ定義登録装置１０１へのデータの入出力を行う。
【００２５】
電子カタログ定義管理装置１０２は、電子カタログ動的生成装置１０４からの依頼により、電子カタログ定義登録装置１０１により登録された電子カタログ定義情報を検索して結果を返信し、電子カタログ動的生成装置１０４からの依頼により、電子カタログ定義登録装置１０１により登録された変換規則を検索して結果を返信する機能を有するコンピュータシステムである。
【００２６】
電子カタログ定義管理装置１０２は、ＣＰＵ１０２ａ、ＲＡＭ１０２ｂ、ＨＤＤ１０２ｃ、モニタ１０２ｄ、コンソール１０２ｅ等を有し通信ネットワーク１０５に接続されている。
【００２７】
ＣＰＵ１０２ａは、電子カタログ定義管理装置１０２全体の制御を行う。ＨＤＤ１０２ｃは、電子カタログ定義管理装置１０２の機能を実現するための電子カタログ定義管理プログラム１０２ｆを格納しており、各種データを格納するために使用される。ＲＡＭ１０２ｂは、ＨＤＤ１０２ｃからロードされる電子カタログ定義管理プログラム１０２ｆ、及び種々のデータを処理するために使用される。オペレータはモニタ１０２ｄとコンソール１０２ｅを使用して、電子カタログ定義管理装置１０２と対話可能である。
【００２８】
サービス端末１０３は、電子カタログ動的生成装置１０４に対して、サービス端末種類情報を通知しエンドユーザ操作により表示すべき電子カタログを要求して、電子カタログ動的生成装置１０４から送信された電子カタログ構成情報を受信して電子カタログを画面表示する機能を有するコンピュータシステムである。
【００２９】
サービス端末１０３は、ＣＰＵ１０３ａ、ＲＡＭ１０３ｂ、ＨＤＤ１０３ｃ、モニタ１０３ｄ、コンソール１０３ｅ等を有し通信ネットワーク１０５に接続可能である。
【００３０】
ＣＰＵ１０３ａは、サービス端末１０３全体の制御を行う。ＨＤＤ１０３ｃは、サービス端末１０３の機能を実現するためのサービス端末プログラム１０３ｆを格納しており、各種データを格納するために使用される。ＲＡＭ１０３ｂは、ＨＤＤ１０３ｃからロードされるサービス端末プログラム１０３ｆ、及び種々のデータを処理するために使用される。エンドユーザはモニタ１０３ｄとコンソール１０３ｅを使用して、サービス端末１０３へのデータの入出力を行う。
【００３１】
電子カタログ動的生成装置１０４は、サービス端末１０３から通知されたサービス端末種類情報をキーとして電子カタログ定義管理装置１０２に検索依頼してサービス端末種類情報に対応する変換規則を取得し、サービス端末１０３から要求された電子カタログの電子カタログ定義情報を電子カタログ定義管理装置１０２に検索依頼して取得し、変換規則に基づき電子カタログ定義情報を変換してサービス端末１０３により表示可能な電子カタログ構成情報を動的に生成し、サービス端末１０３へ送信する機能を有するコンピュータシステムである。
【００３２】
電子カタログ動的生成装置１０４は、ＣＰＵ１０４ａ、ＲＡＭ１０４ｂ、ＨＤＤ１０４ｃ、モニタ１０４ｄ、コンソール１０４ｅ等を有し通信ネットワーク１０５に接続されている。
【００３３】
ＣＰＵ１０４ａは、電子カタログ動的生成装置１０４全体の制御を行う。ＨＤＤ１０４ｃは、電子カタログ動的生成装置１０４の機能を実現するための電子カタログ動的生成プログラム１０４ｆを格納しており、各種データを格納するために使用される。ＲＡＭ１０４ｂは、ＨＤＤ１０４ｃからロードされる電子カタログ動的生成プログラム１０４ｆ、及び種々のデータを処理するために使用される。オペレータはモニタ１０４ｄとコンソール１０４ｅを使用して、電子カタログ動的生成装置１０４と対話可能である。
【００３４】
通信ネットワーク１０５は、電子カタログ定義登録装置１０１、電子カタログ定義管理装置１０２、サービス端末１０３、電子カタログ動的生成装置１０４等を接続する。通信ネットワーク１０５としては、インターネット等が好適であり、データの送受信にはＴＣＰ／ＩＰ（ｔｒａｎｓｍｉｓｓｉｏｎ　ｃｏｎｔｒｏｌ　ｐｒｏｔｏｃｏｌ／ｉｎｔｅｒｎｅｔｐｒｏｔｏｃｏｌ　）、ＨＴＴＰ（ｈｙｐｅｒｔｅｘｔ　ｔｒａｎｓｆｅｒ　ｐｒｏｔｏｃｏｌ）、ＳＭＴＰ（ｓｉｍｐｌｅ　ｍａｉｌ　ｔｒａｎｓｆｅｒ　ｐｒｏｔｏｃｏｌ）、ＦＴＰ（ｆｉｌｅ　ｔｒａｎｓｆｅｒ　ｐｒｏｔｏｃｏｌ）等通常のプロトコルを使用すればよい。
【００３５】
図２は、オンライン電子カタログ構成システム１００の機能を実現するプログラムが含む各機能モジュールの関係を示したモジュール構成図である。図２において、電子カタログ定義登録プログラム１０１ｆ、電子カタログ定義管理プログラム１０２ｆ、サービス端末プログラム１０３ｆ、電子カタログ動的生成プログラム１０４ｆに含まれる各機能モジュールの関係が示されている。
【００３６】
電子カタログ定義登録装置１０１の電子カタログ定義登録プログラム１０１ｆは、サービス端末種類に依存しない電子カタログ定義情報を電子カタログ定義管理装置１０２に登録する電子カタログ定義登録モジュール２０１ａと、電子カタログ定義情報を各サービス端末種類において表示可能な電子カタログ構成情報に変換するサービス端末種類毎の変換規則を、電子カタログ定義管理装置１０２に登録する変換規則登録モジュール２０１ｂとを有する。
【００３７】
電子カタログ定義管理装置１０２の電子カタログ定義管理プログラム１０２ｆは、電子カタログ定義登録装置１０１の電子カタログ定義登録モジュール２０１ａにより登録された電子カタログ定義情報を保持する電子カタログ定義保持モジュール２０２ａと、電子カタログ定義登録装置１０１の変換規則登録モジュール２０１ｂにより登録された変換規則を保持する変換規則保持モジュール２０２ｂを有する。
【００３８】
さらに、電子カタログ定義管理装置１０２の電子カタログ定義管理プログラム１０２ｆは、電子カタログ動的生成装置１０４からの依頼により電子カタログ定義保持モジュール２０２ａにて保持する電子カタログ定義情報を検索して結果を電子カタログ動的生成装置１０４に返信する電子カタログ定義検索モジュール２０２ｃと、電子カタログ動的生成装置１０４からの依頼により変換規則保持モジュール２０２ｂにて保持する変換規則を検索して結果を電子カタログ動的生成装置１０４に返信する変換規則検索モジュール２０２ｄとを有する。
【００３９】
サービス端末１０３のサービス端末プログラム１０３ｆは、サービス端末種類情報を電子カタログ動的生成装置１０４に通知するサービス端末種類通知モジュール２０３ａと、エンドユーザ操作により表示すべき電子カタログを電子カタログ動的生成装置１０４に要求する電子カタログ要求モジュール２０３ｂと、電子カタログ動的生成装置１０４から送信された電子カタログ構成情報を受信して電子カタログを画面表示する電子カタログ表示モジュール２０３ｃとを有する。
【００４０】
電子カタログ動的生成装置１０４の電子カタログ動的生成プログラム１０４ｆは、サービス端末１０３のサービス端末種類通知モジュール２０３ａから通知されたサービス端末種類情報をキーとして、電子カタログ定義管理装置１０２の変換規則検索モジュール２０２ｄに検索依頼してそのサービス端末種類情報に対応する変換規則を取得する変換規則取得モジュール２０４ａと、サービス端末１０３の電子カタログ要求モジュール２０３ｂから要求された電子カタログ定義情報を、電子カタログ定義管理装置１０２の電子カタログ定義検索モジュール２０２ｃに検索依頼してその電子カタログ定義情報を取得する電子カタログ定義取得モジュール２０４ｂを有する。
【００４１】
さらに、電子カタログ動的生成装置１０４の電子カタログ動的生成プログラム１０４ｆは、変換規則取得モジュール２０４ａにより取得した変換規則に基づき電子カタログ定義取得モジュール２０４ｂにより取得した電子カタログ定義情報を変換して、対象のサービス端末種類に属するサービス端末１０３の電子カタログ表示モジュール２０３ｃにより表示可能な電子カタログ構成情報を動的に生成する電子カタログ構成情報動的生成モジュール２０４ｃを有する。さらに、電子カタログ構成情報動的生成モジュール２０４ｃにより動的に生成した電子カタログ構成情報をサービス端末１０３に送信する電子カタログ構成情報送信モジュール２０４ｄを有する。
【００４２】
（動作説明）
次に、以上のように構成される本実施形態のオンライン電子カタログ構成システム１００の動作について、図２内に示すステップ番号Ｓ１〜Ｓ１１を参照して説明する。
【００４３】
まず、電子カタログ定義登録装置１０１は、オペレータの電子カタログ定義登録操作を受け付けると、電子カタログ定義登録モジュール２０１ａが、サービス端末種類に依存しない電子カタログ定義情報（ＳＣ；ｓｏｕｒｃｅ　ｃａｔａｌｏｇｕｅ）２０５を、電子カタログ定義管理装置１０２に登録するために送信する（ステップＳ１）。
【００４４】
次に、電子カタログ定義管理装置１０２は、電子カタログ定義保持モジュール２０２ａにより、電子カタログ定義登録装置１０１の電子カタログ定義登録モジュール２０１ａによって登録するために送信された電子カタログ定義情報２０５を、ＨＤＤ１０２ｃに保持する（ステップＳ２）。
【００４５】
また、電子カタログ定義登録装置１０１は、オペレータの変換規則登録操作を受け付けると、変換規則登録モジュール２０１ｂにより、電子カタログ定義情報を各サービス端末種類において表示可能な電子カタログ構成情報に変換するサービス端末種類毎の変換規則情報（ＴＲ；ｔｒａｎｓｆｏｒｍａｔｉｏｎ　ｒｅｇｕｌａｔｉｏｎ）２０７を、電子カタログ定義管理装置１０２に登録するために送信する（ステップＳ３）。
【００４６】
次に、電子カタログ定義管理装置１０２は、変換規則保持モジュール２０２ｂにより、電子カタログ定義登録装置１０１の変換規則登録モジュール２０１ｂによって登録するために送信された変換規則情報２０７を、ＨＤＤ１０２ｃに保持する（ステップＳ４）。
【００４７】
次に、サービス端末１０３は、エンドユーザにより表示すべき電子カタログの要求操作を受け付けると、電子カタログ要求モジュール２０３ｂにより、その電子カタログの電子カタログＩＤ（ＣＩＤ；ｃａｔａｌｏｇｕｅ　ｉｄｅｎｔｉｆｉｃａｔｉｏｎ　ｄａｔａ）２０９を電子カタログ動的生成装置１０４へ送信し、電子カタログを要求する（ステップＳ５）。
【００４８】
次に、電子カタログ動的生成装置１０４は、電子カタログ定義取得モジュール２０４ｂにより、サービス端末１０３の電子カタログ要求モジュール２０３ｂから送信された電子カタログＩＤ２０９に対応する電子カタログ定義情報を、電子カタログ定義管理装置１０２の電子カタログ定義検索モジュール２０２ｃに検索依頼するために、電子カタログＩＤ２１０を送信する。
【００４９】
電子カタログ定義管理装置１０２は、電子カタログ定義検索モジュール２０２ｃにより電子カタログＩＤ２１１をキーとして、電子カタログ動的生成装置１０４から依頼された電子カタログ定義保持モジュール２０２ａにて保持された電子カタログ定義情報２０６を、ＨＤＤ１０２ｃから検索して結果を返信し、電子カタログ動的生成装置１０４の電子カタログ定義取得モジュール２０４ｂは電子カタログ定義情報２１２を取得する（以上ステップＳ６）。
【００５０】
次に、サービス端末１０３は、自律的に、サービス端末種類通知モジュール２０３ａにより、サービス端末種類情報（ＴＩＤ；ｔｅｒｍｉｎａｌ　ｉｄｅｎｔｉｆｉｃａｔｉｏｎ　ｄａｔａ）２１３を電子カタログ動的生成装置１０４に通知する（ステップＳ７）。
【００５１】
次に、電子カタログ動的生成装置１０４は、変換規則取得モジュール２０４ａにより、サービス端末種類情報２１３に対応する変換規則情報を、サービス端末１０３のサービス端末種類通知モジュール２０３ａから通知されたサービス端末種類情報２１３をキーとして電子カタログ定義管理装置１０２の変換規則検索モジュール２０２ｄに検索依頼するために、サービス端末種類情報２１４を送信する。
【００５２】
電子カタログ定義管理装置１０２は、変換規則検索モジュール２０２ｄによりサービス端末種類情報２１５をキーとして、電子カタログ動的生成装置１０４からの依頼された変換規則保持モジュール２０２ｂにて保持された変換規則情報２０８を、ＨＤＤ１０２ｃから検索して結果を返信し、電子カタログ動的生成装置１０４の変換規則取得モジュール２０４ａはそのサービス端末種類情報に対応する変換規則情報２１６を取得する（以上ステップＳ８）。
【００５３】
次に、電子カタログ動的生成装置１０４は、電子カタログ構成情報動的生成モジュール２０４ｃにより、変換規則取得モジュール２０４ａにより取得した変換規則情報２１６に基づき電子カタログ定義取得モジュール２０４ｂにより取得した電子カタログ定義情報２１２を変換して、そのサービス端末種類に属するサービス端末１０３の電子カタログ表示モジュール２０３ｃにより表示可能な電子カタログ構成情報２１８を動的に生成する（ステップＳ９）。
【００５４】
次に、電子カタログ動的生成装置１０４は、電子カタログ構成情報送信モジュール２０４ｄにより、電子カタログ構成情報動的生成モジュール２０４ｃによって動的に生成した電子カタログ構成情報２１８をサービス端末１０３に送信する（ステップＳ１０）。
【００５５】
次に、サービス端末１０３は、電子カタログ表示モジュール２０３ｃにより、電子カタログ動的生成装置１０４から送信された電子カタログ構成情報２１９を受信して、電子カタログをモニタ１０３ｄに表示する（ステップＳ１１）。
【００５６】
（電子カタログ定義登録装置の処理）
上記のシステム構成において、上述した本実施形態のオンライン電子カタログ構成システム１００における電子カタログ定義登録装置１０１の処理手順を以下、上述の図１、２と合わせて図３のフローチャートを用いて説明する。
【００５７】
図３の処理手順は、電子カタログ定義登録装置１０１の電子カタログ定義登録プログラム１０１ｆの処理内容を示す。図３に示す処理手順は、電子カタログ定義登録装置１０１のＣＰＵ１０１ａが電子カタログ定義登録プログラム１０１ｆを実行することにより行われる。
【００５８】
図３において、ＣＰＵ１０１ａはイベント発生を監視している（ステップＳ３００）。ＣＰＵ１０１ａは、オペレータの電子カタログ定義登録操作による電子カタログ定義登録指示のイベントを受け付けると（ステップＳ３００→Ｓ３１０）、電子カタログ定義登録モジュール２０１ａの電子カタログ定義登録処理により、サービス端末種類に依存しない電子カタログ定義情報２０５を電子カタログ定義管理装置１０２に登録するために送信する（ステップＳ３１０→Ｓ３２０→Ｓ３００）。
【００５９】
ＣＰＵ１０１ａは、オペレータの変換規則登録操作による変換規則登録指示のイベントを受け付けると（ステップＳ３００→Ｓ３１０）、変換規則登録モジュール２０１ｂの処理の変換規則登録処理により、電子カタログ定義情報を各サービス端末種類において表示可能な電子カタログ構成情報に変換するサービス端末種類毎の変換規則情報２０７を、電子カタログ定義管理装置１０２に登録するために送信する（ステップＳ３１０→Ｓ３３０→Ｓ３００）。
【００６０】
ＣＰＵ１０１ａは、上記以外のイベントを受け付けると（ステップＳ３００→Ｓ３１０）、それに対応したその他の処理を行う（ステップＳ３１０→Ｓ３４０→Ｓ３００）。
【００６１】
（電子カタログ定義管理装置の処理）
上記のシステム構成において、上述した本実施形態のオンライン電子カタログ構成システム１００における電子カタログ定義管理装置１０２の処理手順を以下、上述の図１、２と合わせて図４のフローチャートを用いて説明する。
【００６２】
図４の処理手順は、電子カタログ定義管理装置１０２の電子カタログ定義管理プログラム１０２ｆの処理内容を示す。図４に示す処理手順は、電子カタログ定義管理装置１０２のＣＰＵ１０２ａが電子カタログ定義管理プログラム１０２ｆを実行することにより行われる。
【００６３】
図４において、ＣＰＵ１０２ａはイベント発生を監視している（ステップＳ４００）。ＣＰＵ１０２ａは、電子カタログ定義登録装置１０１の電子カタログ定義登録モジュール２０１ａにより登録するために送信された電子カタログ定義情報２０５の受信イベントを受け付けると（ステップＳ４００→Ｓ４１０）、電子カタログ定義保持モジュール２０２ａの電子カタログ定義保持処理により、電子カタログ定義情報２０５をＨＤＤ１０２ｃに保持する（ステップＳ４１０→Ｓ４２０→Ｓ４００）。
【００６４】
ＣＰＵ１０２ａは、電子カタログ定義登録装置１０１の変換規則登録モジュール２０１ｂによって登録するために送信された変換規則情報２０７の受信イベントを受け付けると（ステップＳ４００→Ｓ４１０）、変換規則保持モジュール２０２ｂの変換規則保持処理により、変換規則情報２０７をＨＤＤ１０２ｃに保持する（ステップＳ４１０→Ｓ４３０→Ｓ４００）。
【００６５】
ＣＰＵ１０２ａは、電子カタログ動的生成装置１０４から送信された電子カタログＩＤの受信イベントを受け付けると（ステップＳ４００→Ｓ４１０）、電子カタログ定義検索モジュール２０２ｃの電子カタログ定義検索処理により、電子カタログＩＤ２１１をキーとして、電子カタログ定義保持モジュール２０２ａによって保持された電子カタログ定義情報２０６を、ＨＤＤ１０２ｃから検索して結果を電子カタログ動的生成装置１０４へ返信する（ステップＳ４１０→Ｓ４４０→Ｓ４００）。
【００６６】
ＣＰＵ１０２ａは、電子カタログ動的生成装置１０４から送信されたサービス端末種類情報の受信イベントを受け付けると（ステップＳ４００→Ｓ４１０）、変換規則検索モジュール２０２ｄの変換規則検索処理により、サービス端末種類情報２１５をキーとして、変換規則保持モジュール２０２ｂによって保持された変換規則情報２０８を、ＨＤＤ１０２ｃから検索して結果を電子カタログ動的生成装置１０４へ返信する（ステップＳ４１０→Ｓ４５０→Ｓ４００）。
【００６７】
ＣＰＵ１０１ａは、上記以外のイベントを受け付けると、それに対応したその他の処理を行う（不図示）。
【００６８】
（電子カタログ動的生成装置の処理）
上記のシステム構成において、上述した本実施形態のオンライン電子カタログ構成システム１００における電子カタログ動的生成装置１０４の処理手順を以下、上述の図１、２と合わせて図５のフローチャートを用いて説明する。
【００６９】
図５の処理手順は、電子カタログ動的生成装置１０４の電子カタログ動的生成プログラム１０４ｆの処理内容を示す。図５に示す処理手順は、電子カタログ動的生成装置１０４のＣＰＵ１０４ａが電子カタログ動的生成プログラム１０４ｆを実行することにより行われる。
【００７０】
図５において、ＣＰＵ１０４ａはイベント発生を監視している（ステップＳ５００）。ＣＰＵ１０４ａは、サービス端末１０３の電子カタログ要求モジュール２０３ｂから送信された電子カタログＩＤの受信イベントを受け付けると（ステップＳ５００→Ｓ５１０）、電子カタログ定義取得モジュール２０４ｂの電子カタログ定義取得処理により、受信された電子カタログＩＤに対応する電子カタログ定義情報を、電子カタログ定義管理装置１０２の電子カタログ定義検索モジュール２０２ｃに検索依頼するために、電子カタログＩＤ２１０を電子カタログ定義管理装置１０２へ送信する（ステップＳ５１０→Ｓ５４０→Ｓ５００）。
【００７１】
ＣＰＵ１０４ａは、サービス端末１０３のサービス端末種類通知モジュール２０３ａから通知されたサービス端末種類情報の受信イベントを受け付けると（ステップＳ５００→Ｓ５１０）、変換規則取得モジュール２０４ａの変換規則取得処理により、受信されたサービス端末種類情報に対応する変換規則情報を、電子カタログ定義管理装置１０２の変換規則検索モジュール２０２ｄに検索依頼するために、サービス端末種類情報２１４を電子カタログ定義管理装置１０２へ送信する（ステップＳ５１０→Ｓ５５０→Ｓ５００）。
【００７２】
ＣＰＵ１０４ａは、電子カタログ定義管理装置１０２の電子カタログ定義検索モジュール２０２ｃから返信された電子カタログ定義情報の受信イベントを受け付けると（ステップＳ５００→Ｓ５１０）、電子カタログ定義取得モジュール２０４ｂの処理により、受信された電子カタログ定義情報２１２がＲＡＭ１０４ｂに保持され、既に変換規則情報２１６がＲＡＭ１０４ｂに保持されているか否かチェックされる（ステップＳ５１０→Ｓ５２０→Ｓ５６０）。
【００７３】
またＣＰＵ１０４ａは、電子カタログ定義管理装置１０２の電子カタログ定義検索モジュール２０２ｃから返信された変換規則情報の受信イベントを受け付けると（ステップＳ５００→Ｓ５１０）、変換規則取得モジュール２０４ａの処理により、受信された変換規則情報２１６がＲＡＭ１０４ｂに保持され、既に電子カタログ定義情報２１２がＲＡＭ１０４ｂに保持されているか否かチェックされる（ステップＳ５１０→Ｓ５３０→Ｓ５６０）。
【００７４】
ＣＰＵ１０４ａは、電子カタログ定義情報２１２と変換規則情報２１６とが共にＲＡＭ１０４ｂに保持されている場合、電子カタログ構成情報動的生成モジュール２０４ｃの電子カタログ構成情報動的生成処理により、変換規則情報２１６に基づき電子カタログ定義情報２１２を変換して、そのサービス端末種類に属するサービス端末１０３の電子カタログ表示モジュール２０３ｃにより表示可能な電子カタログ構成情報２１８を動的に生成する（ステップＳ５６０→Ｓ５７０→Ｓ５００）。
【００７５】
ＣＰＵ１０１ａは、上記以外のイベントを受け付けると、それに対応したその他の処理を行う（不図示）。
【００７６】
（サービス端末の処理）
上記のシステム構成において、上述した本実施形態のオンライン電子カタログ構成システム１００におけるサービス端末１０３の処理手順を以下、上述の図１、２と合わせて図６のフローチャートを用いて説明する。
【００７７】
図６の処理手順は、サービス端末１０３のサービス端末プログラム１０３ｆの処理内容を示す。図６に示す処理手順は、サービス端末１０３のＣＰＵ１０３ａがサービス端末プログラム１０３ｆを実行することにより行われる。
【００７８】
図６において、ＣＰＵ１０３ａはイベント発生を監視している（ステップＳ６００）。ＣＰＵ１０３ａは、エンドユーザの表示すべき電子カタログの要求操作による電子カタログ要求指示のイベントを受け付けると（ステップＳ６００→Ｓ６１０）、電子カタログ要求モジュール２０３ｂの電子カタログ要求処理により、その電子カタログの電子カタログＩＤ２０９を電子カタログ動的生成装置１０４へ送信し、電子カタログを要求する（ステップＳ６１０→Ｓ６２０→Ｓ６００）。
【００７９】
ＣＰＵ１０３ａは次いで、自律的に発生するサービス端末種類通知指示のイベントを受け付けると（ステップＳ６００→Ｓ６１０）、サービス端末種類通知モジュール２０３ａの処理のサービス端末種類通知処理により、サービス端末種類情報２１３を電子カタログ動的生成装置１０４に通知する（ステップＳ６１０→Ｓ６３０→Ｓ６００）。
【００８０】
ＣＰＵ１０３ａは、電子カタログ動的生成装置１０４から送信された電子カタログ構成情報２１９の受信イベントを受け付けると（ステップＳ６００→Ｓ６１０）、電子カタログ表示モジュール２０３ｃの電子カタログ表示処理により、電子カタログ構成情報２１９に従って電子カタログをモニタ１０３ｄに表示する（ステップＳ６１０→Ｓ６４０→Ｓ６００）。
【００８１】
ＣＰＵ１０３ａは、上記以外のイベントを受け付けると、それに対応したその他の処理を行う（不図示）。
【００８２】
（他の実施形態）
上述の実施形態では、通信ネットワーク１０５に、電子カタログ定義登録装置１０１、電子カタログ定義管理装置１０２、サービス端末１０３、電子カタログ動的生成装置１０４等が接続されており、電子カタログ定義登録装置１０１、電子カタログ定義管理装置１０２及び電子カタログ動的生成装置１０４の各機能が協働してサービス端末１０３に対する電子カタログ提供システムとしての機能を呈している。
【００８３】
しかし、電子カタログ定義登録装置１０１、電子カタログ定義管理装置１０２及び電子カタログ動的生成装置１０４が、必ずしも各々独立した装置である必要は無く、それらの各機能を１つのサーバマシンで実現し電子カタログ提供システムの機能をサービス端末１０３に対して提供するようにしてもよい。
【００８４】
上述の実施形態は本発明の例示のために説明したが、上述の実施形態の他にも変形が可能である。その変形が特許請求の範囲で述べられている本発明の技術思想に基づく限り、その変形は本発明の技術的範囲内となる。
【００８５】
【発明の効果】
以上説明したように本発明によれば、通信ネットワークに接続されておりユーザへ電子カタログを提供するための電子カタログ提供システムと、通信ネットワークを介して電子カタログ提供システムにアクセス可能な、ユーザによって使用される端末とを有するオンライン電子カタログ構成システムは、端末が、電子カタログ提供システムに対して、ユーザにより指示された電子カタログ識別子を送信し、端末種類情報を通知して、電子カタログ提供システムが、端末の種類に依存しない電子カタログ定義情報と、その電子カタログ定義情報を端末の種類に応じて表示可能な電子カタログ構成情報に変換する端末種類毎の変換規則情報とを登録し、登録された変換規則情報の内から、端末から通知される端末種類情報に対応して変換規則情報を検索し、登録された電子カタログ定義情報の内から、端末から送信される電子カタログ識別子に対応して電子カタログ定義情報を検索し、検索された変換規則情報に基づいて検索された電子カタログ定義情報を変換し、端末により表示可能な電子カタログ構成情報を生成し端末へ送信し、端末が、電子カタログ提供システムから送信された電子カタログ構成情報に従って電子カタログを表示する。
【００８６】
これにより、端末の種類に依存しない共通の電子カタログ定義を各種の端末に表示可能な形式に逐次変換して表示することを可能とする。このため、個々の端末毎に電子カタログ定義を記述する必要がない簡易なシステム構成で、一つの電子商取引サービスを複数種類の端末から共通に利用可能となる。
【図面の簡単な説明】
【図１】本発明の実施形態の、オンライン電子カタログ構成システムのシステム構成図である。
【図２】本発明の実施形態の、オンライン電子カタログ構成システムの機能を実現するプログラムが含む各機能モジュールの関係を示したモジュール構成図である。
【図３】本発明の実施形態の、電子カタログ定義登録装置の電子カタログ定義登録プログラムの処理手順を示すフローチャートである。
【図４】本発明の実施形態の、電子カタログ定義管理装置の電子カタログ定義管理プログラムの処理手順を示すフローチャートである。
【図５】本発明の実施形態の、電子カタログ動的生成装置の電子カタログ動的生成プログラムの処理手順を示すフローチャートである。
【図６】本発明の実施形態の、サービス端末のサービス端末プログラムの処理手順を示すフローチャートである。
【符号の説明】
１００　オンライン電子カタログ構成システム
１０１　電子カタログ定義登録装置
１０１ａ、１０２ａ、１０３ａ、１０４ａ　ＣＰＵ
１０１ｃ、１０２ｃ、１０３ｃ、１０４ｃ　ＨＤＤ
１０１ｆ　電子カタログ定義登録プログラム
１０２　電子カタログ定義管理装置
１０２ｆ　電子カタログ定義管理プログラム
１０３　サービス端末
１０３ｆ　サービス端末プログラム
１０４　電子カタログ動的生成装置
１０４ｆ　電子カタログ動的生成プログラム
１０５　通信ネットワーク
２０１ａ　電子カタログ定義登録モジュール
２０１ｂ　変換規則登録モジュール
２０２ａ　電子カタログ定義保持モジュール
２０２ｂ　変換規則保持モジュール
２０２ｃ　電子カタログ定義検索モジュール
２０２ｄ　変換規則検索モジュール
２０３ａ　サービス端末種類通知モジュール
２０３ｂ　電子カタログ要求モジュール
２０３ｃ　電子カタログ表示モジュール
２０４ａ　変換規則取得モジュール
２０４ｂ　電子カタログ定義取得モジュール
２０４ｃ　電子カタログ構成情報動的生成モジュール
２０４ｄ　電子カタログ構成情報送信モジュール
【図１】
2004021858.tif 000003
【図２】
2004021858.tif 000004
【図３】
2004021858.tif 000005
【図４】
2004021858.tif 000006
【図５】
2004021858.tif 000007
【図６】
2004021858.tif 000008